(57)【要約】【課題】真円板体よりも板厚の厚い円板体が勢い良く円板体投入口に投入された場合でも、一層確実に規制できるようにする。【解決手段】円板体投入口２から投入された円板体を斜め傾斜した方向へ転送する円板体案内通路５に、投入された円板体と当接し、かつ当接する円板体の板厚に応じて姿勢を変化させ、投入された円板体の板厚を規制する円板体板厚規制手段３０を配設するようにした【選択図】  図２
2004334770.tif 000002
【特許請求の範囲】
【請求項１】
円板体投入口から投入された円板体を斜め傾斜した方向へ転送する円板体案内通路と、
該円板体案内通路に配設され、投入された円板体と当接し、かつ該当接する円板体の板厚に応じて姿勢を変化させ、投入された円板体の板厚を規制する円板体板厚規制手段と
を具えたことを特徴とする円板体選別装置。
【請求項２】
前記円板体板厚規制手段は、前記円板体案内通路の上流に配設されていることを特徴とする請求項１に記載の円板体選別装置。
【請求項３】
前記円板体は、硬貨、遊戯用メダル、トークン等であることを特徴とする請求項１に記載の円板体選別装置。
【請求項４】
前記円板体板厚規制手段は軸を中心に回動自在に支承されたレバーと、該レバーの下端に支承され前記円板体案内通路を通過する前記円板体の一側面を常時押圧する傾斜ガイドと、前記レバーを前記軸を中心に常時前記円板体の一側面を押圧する方向へ付勢する付勢手段と、前記傾斜ガイドの一定回転角度以上の回転を規制するストッパー手段とからなることを特徴とする請求項１に記載の円板体選別装置。
【請求項５】
前記傾斜ガイドは、前記円板体案内通路側へ向けて先端が漸次傾斜したガイド部と、該ガイド部の先端に支承された板厚規制部とからなることを特徴とする請求項４に記載の円板体選別装置。
【請求項６】
前記板厚規制部は円錐台形状で、金属製であることを特徴とする請求項５に記載の円板体選別装置。
【請求項７】
前記付勢手段は圧縮バネであることを特徴とする請求項４に記載の円板体選別装置。
【発明の詳細な説明】
【０００１】
【発明の属する技術分野】
この発明は、硬貨、代用硬貨（トークン）、あるいは遊戯用メダル等の円板体の真偽を判別し、それを選別する円板体選別装置に関する。
【０００２】
【従来の技術】
従来から、自動販売機、スロットマシーン等の遊戯用機械内には、円板体投入口から投入された円板体（硬貨、あるいは遊戯用メダル等）の真偽を判別し、真円板体と見做された円板体を収容するとともに、偽円板体と見做された円板体を返却するようにした円板体選別装置が配設されている。
【０００３】
図９は従来の円板体選別装置１を示す要部概念正面図で、特に円板体投入口２の付近を示したものである。
【０００４】
この円板体選別装置１は、円板体投入口２内に投入された円板体を下方に案内する第１の円板体案内通路３と、この第１の円板体案内通路３の下流端に連通し、投入された円板体を図面右斜め方向へ案内する一本の傾斜転送レール４からなる第２の円板体案内通路５とから構成されている。なお、図９で符号１３は円板体の真偽、あるいは通過する円板体の数を計測する円板体検出手段である。
【０００５】
なお、この第１及び第２の円板体案内通路３、５は図９のＡＡ断面図で示す図１０のように、メインプレート６とこのメインプレート６の表面を開閉するゲートプレート７とにより構成されている。
【０００６】
一方、第１の円板体案内通路３には、図１０に示すように、投入された円板体の板厚を規制することにより、当該円板体の真偽を判別する円板体の板厚規制手段８が配設されている。
【０００７】
この従来の板厚規制手段８は、メインプレート６に配設されたシックネススクリユー９により構成され、このシックネススクリユー９はメインプレート６の表面から第１の円板体案内通路３内へ向け突設され、これによりゲートプレート７の背面とシックネススクリユー９先端との間の隙間で第１の円板体案内通路３内を落下する円板体の板厚を規制している。なお、このシックネススクリユー９先端と対向するゲートプレート７の背面との間の隙間は真円板体の板厚とほぼ同じか若干広い距離に設定されている。
【０００８】
このような板厚規制手段８によると、図１１で示すように、投入された円板体１０の板厚が真円板体の板厚と同一が、それよりも薄い場合は板厚規制手段８を通過して、その下流の第２の円板体案内通路５に案内されることとなる。
【０００９】
一方、図１２で示すように、投入された円板体１１の板厚が真円板体の板厚よりも厚い場合は、板厚規制手段８のシックネススクリュー９先端に当接する。
【００１０】
これにより板厚が真円板体よりも厚い円板体１１はシックネススクリュー９先端とゲートプレート７の背面との間に停止し、これにより規定以上の板厚を有する円板体１１の投入が規制される。
【００１１】
このように、シックネススクリュー９先端とゲートプレート７の背面との間に停止した規定厚以上の円板体１１は、メインプレート６に対しゲートプレート７を矢印Ｂのように開放すると、矢印Ｃで示すように下方に落下し、排除されて返却される。
【００１２】
なお、図９、図１０で、符号１５は第２の円板体案内通路５に形成され、円板体をその外径の差異により選別する周知の円板体外径選別手段で、この円板体外径選別手段１５は図１０で示すように、ゲートプレート７に形成された切り欠７ａと、傾斜面７ｂとにより構成されている。
【００１３】
【発明が解決しようとする課題】
ところで、上述した従来の円板体選別装置１によると、図１２で示すように、投入された円板体１１の板厚が真円板体の板厚よりも厚い場合は、板厚規制手段８のシックネススクリュー９先端に当接し、これによりシックネススクリュー９先端とゲートプレート７の背面との間に停止し、その後、ゲートプレート７を拡開することにより排除されるが、この円板体１１が勢い良く円板体投入口２内に投入され、その際、当該円板体１１がゲートプレート７と激しく衝突して、当該ゲートプレート７が振動し、これによりシックネススクリュー９先端とゲートプレート７の背面との間が僅かに拡開するとシックネススクリュー９先端により停止されるべき板厚の大きい円板体１１がシックネススクリュー９先端とゲートプレート７の背面との間の隙間を通り抜け、図１３で示すように一本の傾斜転送レール４上に移動し、第２の円板体案内通路５を転送して真円板体として取り扱われてしまう虞があった。
【００１４】
この発明は、上述した事情に鑑み、円板体投入口に真円板体よりも板厚の厚い円板体が勢い良く投入された場合でも、その板厚の厚い円板体をより一層確実に規制できるようにした円板体選別装置を提供することを目的とする。
【００１５】
【課題を解決するための手段】
上述した課題を解決するため、この発明の円板体選別装置では、円板体投入口から投入された円板体を斜め傾斜した方向へ転送する円板体案内通路と、この円板体案内通路に配設され、投入された円板体と当接し、かつ該当接する円板体の板厚に応じて姿勢を変化させ、投入された円板体の板厚を規制する円板体板厚規制手段とを具えている。
【００１６】
【発明の実施の形態】
以下、この発明に係わる円板体選別装置の一実施例を詳述する。
【００１７】
図１はこの発明に係わる円板体選別装置２０の要部概念正面図で、図９乃至図１３と同一部分を同一符号で示す。
【００１８】
この円板体選別装置２０も従来と同様に、円板体投入口２内に投入された円板体を下方に案内する第１の円板体案内通路３と、この第１の円板体案内通路３の下流端に連通し、投入された円板体を図面右斜め方向へ案内する一本の傾斜転送レール４からなる第２の円板体案内通路５とを有している。
【００１９】
一方、この円板体選別装置２０では、投入された円板体の板厚を規制することにより、当該円板体の真偽を判別する円板体の板厚規制手段３０が従来の如く、第１の円板体案内通路３ではなく投入された円板体を図面右斜め方向へ案内する一本の傾斜転送レール４からなる第２の円板体案内通路５に配設されている。
【００２０】
この円板体の板厚規制手段３０は第２の円板体案内通路５の上流側に配設され、かつ投入された円板体と当接し、当接する円板体の板厚に応じて姿勢を変化させ、投入された円板体の板厚を規制するもので、その構造は、図１のＤＤ断面図で示す、図２で示すように、メインプレート６の背面に軸３１を中心に回動自在に支承されたレバー３２と、このレバー３２の下端に支承された傾斜ガイド３３と、前記レバー３２を前記軸３１を中心に真に常時反時計方向へ付勢する圧縮バネ３４と、前記傾斜ガイド３３の一定回転角度以上の回転を規制するストッパー手段３５とから構成されている。
【００２１】
なお、上述した傾斜ガイド３３は、図２及び図１のＥＥ断面で示す図３のように、第２の円板体案内通路５の一方の側壁を構成するメインプレート６の表面に形成された孔６ａから出没自在であり、図２、図３に示す初期位置では、前記圧縮バネ３４の付勢力によりゲートプレート７の傾斜面７ｂに当接して、その動きが停止し、規制されている。
【００２２】
なお、この傾斜ガイド３３の出没規制はメインプレート６側で規制するようにしても良い。
【００２３】
上述した板厚規制手段３０のうち、傾斜ガイド３３は、図３で示すように、先端が第２の円板体案内通路５の下流へ向けて漸次ゲートプレート７側へ傾斜したガイド部３３ａと、このガイド部３３ａの先端に支承された略円錐台形状の板厚規制部３３ｂとから構成されている。なお、この板厚規制部３３ａは金属製である。
【００２４】
また、図３で示すように、この板厚規制部３３ｂと対向する位置に前記ストッパー手段３５が配設され、このストッパー手段３５は、図２で示すように、メインプレート６の背面に支承された雌ネジ部３５ａに螺合したシックネススクリュー９により構成されている。
【００２５】
次に、上述した円板体選別装置２０の作用を説明し、併せて構成をより詳細に説明する。
【００２６】
図４に示すように、選別対象となる規定の径よりも大きい円板体４０が、円板体投入口２内に勢い良く投入されると、その円板体４０は第１の円板体通路３を通過して、第２の円板体通路５を構成する傾斜転送レール４に衝突し、その後、進行方向を傾斜した第２の円板体通路５側へ向ける。
【００２７】
その際、図４のＦＦ断面で示す図５のように、勢い良く投入され、それにより暴れる円板体４０の一側面は徐々に圧接する傾斜ガイド部３３ａの付勢力、即ち圧縮バネ３４（図２）により付勢され、かつ揺動自在に支承された板厚規制手段３０の傾斜ガイド部３３ａの付勢力により、徐々にゲートプレート７側に押し付けられてその暴れ、即ち振動が吸収され、制振される。
【００２８】
その後、この投入円板体４０の板厚が、規定の板厚よりも薄い場合は、図６で示すように、板厚規制手段３０の傾斜ガイド部３３ａ及び板厚規制部３３ｂを通過し第２の円板体通路５の下流へスムーズに案内される。
【００２９】
そして、その下流に配設された前記検出手段１３（図１）により、投入円板体４０の真偽、あるいはその通過枚数が計測される。
【００３０】
一方、図７で示すように、規定の径よりも大きくしかも規定の板厚よりも厚い、円板体５０が勢い良く円板体投入口２内に投入された場合でも、その円板体５０の暴れは、当該円板体５０の側面に徐々に圧接する傾斜ガイド部３３ａの付勢力により、徐々にゲートプレート７側に押し付けられてその暴れが吸収される。
【００３１】
このように、暴れが吸収された規定の板厚よりも厚い円板体５０が図８で示すように、第２の円板体通路５の下流へ案内され、傾斜ガイド３３の板厚規制部３３ｂに当接すると、当該板厚規制部３３ｂは前記ストッパー手段３５のシックネススクリュー９と当接し、それにより当該板厚規制部３３ｂとゲートプレート７の表面との間の隙間が規制され、規定の板厚よりも厚い円板体５０の進行を確実に停止させる。
【００３２】
なお、シックネススクリュー９と当接した板厚規制部３３ｂとプレート７の表面との間の隙は、規定の円板体の厚さと同じか若干大きく形成されていることは言うまでもない。
【００３３】
従って、上述した板厚規制手段３０によると、勢い良く投入され、かつ暴れる円板体も、そのエネルギーが上述した板厚規制手段３０により吸収されるので、当該円板体の暴れによりストッパー手段３５のシックネススクリュー９と板厚規制部３３ｂとの間が拡開することはなく、このため、規制すべき対象の円板体が円板体案内通路の下流へ案内されることを可及的に防止することが出来る。
【００３４】
【発明の効果】
以上説明したように、この発明の円板体選別装置では、円板体投入口から投入された円板体を斜め傾斜した方向へ転送する円板体案内通路に、投入された円板体と当接し、かつ当接する円板体の板厚に応じて姿勢を変化させ、投入された円板体の板厚を規制する円板体板厚規制手段を配設するようにしたため、勢い良く投入され、かつ暴れる円板体のエネルギーが、その姿勢を変化させる円板体板厚規制手段により吸収され、このため勢い良く投入された円板体の暴れにより規制すべき対象の円板体が円板体案内通路の下流へ案内される円板体の板厚規制ミスを可及的に防止し、安定した円板体選別精度を維持する円板体選別装置を提供することが出来る。
【図面の簡単な説明】
【図１】図１はこの発明に係る円板体選別装置の要部概念正面図。
【図２】図２は図１のＤＤ断面図。
【図３】図３は図１のＥＥ断面図。
【図４】図４はこの発明に係る円板体選別装置の作用を示す要部概念正面図。
【図５】図５は図４のＦＦ断面図。
【図６】図６はこの発明に係る円板体選別装置の作用を示す図４のＦＦ断面図。
【図７】図７はこの発明に係る円板体選別装置の作用を示す図４のＦＦ断面図。
【図８】図８はこの発明に係る円板体選別装置の作用を示す図４のＦＦ断面図。
【図９】図９は従来の円板体選別装置の要部概念正面図。
【図１０】図１０図９のＡＡ断面図。
【図１１】図１１は従来の円板体選別装置の作用を示す要部概念正面図。
【図１２】図１２は従来の円板体選別装置の作用を示す図９のＡＡ概念断面図。
【図１３】図１３は従来の円板体選別装置の作用を示す図９のＡＡ概念断面図。
【符号の説明】
２…円板体投入口
５…円板体案内通路
２０…円板体選別装置
３０…円板体板厚規制手段
３１…軸
３２…レバー
３３…傾斜ガイド
３３ａ…ガイド部
３３ｂ…板厚規制部
３４…付勢手段
３５…ストッパー手段
４０，５０…円板体
【図１】
2004334770.tif 000003
【図２】
2004334770.tif 000004
【図３】
2004334770.tif 000005
【図４】
2004334770.tif 000006
【図５】
2004334770.tif 000007
【図６】
2004334770.tif 000008
【図７】
2004334770.tif 000009
【図８】
2004334770.tif 000010
【図９】
2004334770.tif 000011
【図１０】
2004334770.tif 000012
【図１１】
2004334770.tif 000013
【図１２】
2004334770.tif 000014
【図１３】
2004334770.tif 000015